Podtech/llm-jp-corpus-v4-ja_patent huggingface dataset:
(57)【要約】      （修正有）【課題】携帯端末を身体に密着させるためのケースを提供する。【解決手段】携帯端末を手に密着させるよう取り付けるためのケースを採用することにより、携帯端末のバイブレーションを肌で敏感に感じることができ、音の出せない電車の中でも、寝過ごすことのないように、到着時刻に合わせてバイブのアラームが目覚まし代わりに利用できる。会議中でも、プレゼンテーションのタイマー設定として利用できる。更に、時計代わりにも使用できる。また、リアルタイムで着受信でき、なくす心配も、捜す頻度も減る。【選択図】図１
2015053664.tif 000002
【特許請求の範囲】
【請求項１】
１，ネットホンに時刻表示があるため、手に付けることで時計代わりになる。
２，肉体に接している分だけ敏感にバイブレーターを感じることができるため、音の出せない会議中や電車の中でも、バイブのアラーム設定を、効率よく利用でき、タイマー代わりにもなる。
３，身に付けているので、服やバックからネットホンを捜す手間が省け、鳴っているのに気づかないことも無くなり、リアルタイムで着受信に反応できる。
４，いつも身に付けていられるので、なくす心配も捜す頻度も減ってくる。
５，デザイン性に優れていれば、ファッションにもなる。
【発明の詳細な説明】
【図面の簡単な説明】
【図１】全体図  Ａネットホンの入るところ  Ｂベルト
【図２】身につけている状態
【図１】
2015053664.tif 000003
【図２】
2015053664.tif 000004
【手続補正書】
【提出日】平成26年1月16日(2014.1.16)
【手続補正１】
【補正対象書類名】明細書
【補正対象項目名】全文
【補正方法】変更
【補正の内容】
【発明の詳細な説明】
【発明の概要】
【０００１】現代社会において、ネットホン機能は多種多様であり、仕事に生活にと、必要不可欠なものとなっている。遠距離間の通話や通信、多種多様の情報収集、分析、娯楽の実行など、人間の肉体だけではなし得ないものを補助してくれている。手に取り付けることで、人間の触知機能を利用し、ネットホンの音の振動、バイブレーターの振動を、人間の感覚が直接感じ、ネットホンの機能を瞬時に、敏感に、便利に利用することができると考えたのが、ネットホンを手に取り付ける為のケースである。
１．ネットホンに時刻表示があるため、手に取り付けることで時計代わりになる。
２．肉体に接している分だけ敏感にバイブレーターを感じることができるため、音の出せ    ない会議室や電車の中でも、バイブのアラーム設定を効率良く利用でき、タイマー代    わりにもなる。
３．いつも身につけているので、捜す手間が省け、無くす頻度も減ってくる。
４．肌に触れているので、鳴っているのに気づかないことも無くなり、リアルタイムで着    受信に反応できる。
５．デザイン性に優れていれば、ファッションにもなる。
６．ネットホンの時計型端末を考えると、発明の資金、労力、時間がかかりすぎるが、そ    れらを削減することができ、低コストで利用者に提供できる。
７．災害時、身につけていられるので、ＧＰＳ機能による捜索や、連絡、身の安全保障に    もつながる。
【図面の簡単な説明】
【０００２】
【図１】Ａネットホンの入る所。Ｂベルト
【図２】身につけている状態。
(57)【要約】【目的】  光ディスクドライブの位置を決める。  パーソナルコンピューターの位置を決める。  光ディスクドライブの操作をしても、後ろに動かないようにする。  テレビと光ディスクドライブの一体感を出す。【構成】  （図３）パソコン内蔵用（５インチベイ用）光ディスクドライブ（３）の底面にあるメスネジにピン（４）（５）を設ける、  （図１）スタンド台（６）に溝（２）を設ける。  （図２）スタンド台（６）に光ディスクドライブ（３）を載せ、溝（２）にピン（４）（５）を入れる。以上のように構成された、溝付きテレビスタンド台。【選択図】図２
2015053665.tif 000002
【特許請求の範囲】
【請求項１】
（図１）スタンド台（６）に溝（２）又は、ピン（４）（５）の入る穴を設ける。
【請求項２】
（図３）パソコン内蔵用（５インチベイ用）光ディスクドライブ（３）の底面にあるメスネジにピン（４）（５）を設ける、（図２）スタンド台（６）に光ディスクドライブ（３）を載せ、溝（２）にピン（４）（５）を入れる。
以上のように構成された、溝付きテレビスタンド台。
【発明の詳細な説明】
【産業上の利用分野】
【０００１】  本発明は、テレビに外付けする、光ディスクドライブ、パーソナルコンピューターに関する。
【背景技術】
【０００２】  従来の光ディスクドライブは、テレビに内臓していた。
【発明が解決しょうとする課題】
【０００３】  光ディスクドライブを簡単に交換できる。
光ディスクドライブの設置位置を決められる。
【問題を解決するための手段】
【０００４】  （図１）スタンド台（６）に溝（２）又は、ピン（４）（５）の入る穴を設ける。
（図３）パソコン内蔵用（５インチベイ用）光ディスクドライブ（３）の底面にあるメスネジにピン（４）（５）を設ける、
【作用】
【０００５】  （図２）テレビにセットした光ディスクドライブ（３）は、溝（２）と、ピン（４）（５）で位置が決まり、ディスク取り出しボタンを押しても光ディスクドライブ（３）は後ろに動かない。
【実施例】
【０００６】  以下、本発明の実施例について説明する。
（図３）パソコン内蔵用（５インチベイ用）光ディスクドライブ（３）の底面にあるメスネジにピン（４）（５）を設ける、スタンド台（６）に光ディスクドライブ（３）を載せ、溝（２）にピン（４）（５）を入れる。
パーソナルコンピューターの底面にピン（４）（５）を設ける。
【発明の効果】
【０００７】  本発明は、以上のような構成でこれを利用したテレビは、簡単に光ディスクドライブの位置を決められる。
光ディスクの出し入れが容易。
【図面の簡単な説明】
【図１】  本発明の溝をテレビに設けた斜視図
【図２】  テレビに光ディスクドライブをセットした斜視図
【図３】  光ディスクドライブにピンを取り付けた斜視図
【符号の説明】（１）テレビの画面
（２）溝
（３）光ディスクドライブ
（４）右側のピン
（５）左側のピン
（６）スタンド台
【図１】
2015053665.tif 000003
【図２】
2015053665.tif 000004
【図３】
2015053665.tif 000005
(57)【要約】【課題】工事用標識、看板の保管、管理を容易にする、容易に脱着可能なシート式工事用標識、看板を提供する。【解決手段】標識、看板本体の板をシート状にすることにより、簡単に脱着できるようにする。また、シート端部に管理用のタグを付けることにより、大量に重ねた場合でも管理し易くする。【選択図】図１
2015114655.tif 000002
【特許請求の範囲】
【請求項１】
シート状にした看板本体を、紐等で固定し容易に脱着可能にした。
【請求項２】
シート端部に管理用タグを設けた。
【発明の詳細な説明】
【技術分野】
【０００１】本発明は、多種多様な工事標識を軽量なシートにより交換、保管、管理できるようにしたものである。
【背景技術】
【０００２】従来の工事標識又は工事看板は枠と板とを固定した金属製であり、簡単に脱着できるものはなかった。
【先行技術文献】
【特許文献】
【０００３】
【特許文献１】特開平７−２７１３１８
【特許文献２】特開２００１−５６６４５
【特許文献３】特開２００１−３５０４１７
【発明の概要】
【発明が解決しようとする課題】
【０００４】従来の工事標識又は工事看板は枠と板とを固定した金属製であり、そのため最大量の種類、数量を管理、保管しなければならなかった。
【課題を解決するための手段】
【０００５】標識、看板本体の板をシート状にすることにより、簡単に脱着できるようにした。
また、シート端部に管理用のタグを付けることにより、大量に重ねた場合でも管理し易くした。
【発明の効果】
【０００６】標識、看板本体の板をシート状にすることにより、枠と板とが一体化した物を大量に管理、保管する必要がなく、枠の保管を最小限にし、多種多様なシートを省スペースで保管でき、大量に重ねた場合でも管理用タグにより管理が容易となる。
【図面の簡単な説明】
【０００７】
【図１】本発明の使用状況を示す立体図である。
【図２】本発明の詳細図である。
【発明を実施するための形態】
【０００８】以下、本発明の実施の形態について説明する。
（イ）．看板本体となるシート２に管理用タグ３を取付ける。
（ロ）．看板取付用の枠１に紐等で固定するため、取付用穴４を本体シート２に設ける。
【符号の説明】
【０００９】１  看板取付用枠
２  本体シート
３  管理用タグ
４  取付用穴
【図１】
2015114655.tif 000003
【手続補正書】
【提出日】平成26年2月10日(2014.2.10)
【手続補正１】
【補正対象書類名】明細書
【補正対象項目名】０００７
【補正方法】変更
【補正の内容】
【０００７】
【図１】  本発明の使用状況を示す立体図である。
(57)【要約】      （修正有）【課題】ピアノ等の鍵盤楽器を演奏する際に使用する、譜面に折り目をつけることなく開いて立てることができる譜面立てを提供する。【解決手段】譜面押さえ部１、譜面支え背面部２、底面部３からなる幅広Ｕ字型の構造物で、底面部３の中央において左右に分離し、蝶番留めで結合され、底面３外側の左右両端に小突起部５を設け、携帯する際は真ん中から二つ折りにしてコンパクトに収納できる。【選択図】図３
2015114656.tif 000002
【特許請求の範囲】
【請求項１】
樹脂板材等を用いて、幅広Ｕ字型に形成された譜面立てにおいて、正面に相対して向かい合った状態を仮定した場合、底面の手前縁からほぼ垂直に起立する壁面を譜面押さえ部と成し、底面の奥縁からほぼ垂直に起立する壁面を譜面支え背面部と成し、底面部の中央において左右に二分割する線に沿って分離しつつ、蝶番留めで結合され、底面外側の左右両端縁辺に、それぞれ数カ所に数ミリの高さで小突起部を設けるが、小突起部の位置は、折りたたまれて底面が向かい合わせに重なった際に、左右の小突起同士がピタッと符号的に重ならないように設置することを特徴とする譜面立て。
【請求項２】
譜面押さえ部と譜面支え背面部は、底面部との境界線において、それぞれ対面する相手方向へ（譜面押さえ部は譜面支え背面部の側へ、譜面支え背面部は譜面押さえ部の側へ）のみ折りたたみ可能であり、反対方向、即ち外側への折りたたみは不可能であることを特徴とする請求項１における譜面立て。
【発明の詳細な説明】
【技術分野】
【０００１】  本発明は、ピアノ等の鍵盤楽器の譜面立てに関するものである。
【背景技術】
【０００２】  従来、ピアノ等の鍵盤楽器の譜面台には譜面を押さえる機構がなく、譜面を立てる際は主に、譜面を開いた状態で力強く手で押し折り目をつけ、譜面を閉じないようにしていた。
また、譜面の上部に取付けるページオープナーやクリップはあったが、あまり使用されていなかった。
なお、電子ピアノの一部の機種には、譜面台に譜面押さえ機構が備わっている。
【発明の概要】
【発明が解決しようとする課題】
【０００３】  手で押して折り目をつける方法では、新たなページを開く際に再度折り目をつけなくてはならない。また、折り目のついた譜面は本棚に収納する際に、折り目のついた部分が広がり、場所を取りすぎてしまう。
また、ページオープナーやクリップでは、ページをめくることに多大な時間がかかってしまう。
そして、電子ピアノの一部の機種に備わる譜面押さえ機構は、全ての人が使用できるわけではない。
本発明は、以上の問題点を解決するためになされたものである。
【課題を解決するための手段】
【０００４】  樹脂板材等を用いて、幅広Ｕ字型に形成された譜面立てにおいて、正面に相対して向かい合った状態を仮定した場合、底面の手前縁からほぼ垂直に起立する壁面を譜面押さえ部と成し、底面の奥縁からほぼ垂直に起立する壁面を譜面支え背面部と成し、底面部の中央において左右に二分割する線に沿って分離しつつ、蝶番留めで結合される。底面外側の左右両端縁辺に、それぞれ数カ所に数ミリの高さで小突起部を設けるが、小突起部の位置は、折りたたまれて底面が向かい合わせに重なった際に、左右の小突起同士がピタッと符号的に重ならないように設置する。
以上の構成よりなる譜面立てである。
【発明の効果】
【０００５】  本発明により、譜面に折り目をつけることなく開いて立てることができる。
また、譜面を少し持ち上げるだけでページをめくることが可能であるので、従来からあるページオープナーやクリップを使用するよりも、ページめくりが容易にできる。
そして本発明は、譜面押さえ機構が備わっていなくても、全ての人が使用できる。また、自宅で使用するだけでなく、ピアノ教室や学校等へ携帯し使用することも可能である。
【図面の簡単な説明】
【０００６】
【図１】本発明の斜視図
【図２】本発明の正面図
【図３】本発明の折りたたみ途中を表す斜視図
【図４】本発明の折りたたんだ状態を表す斜視図
【図５】本発明の使用状態を表す斜視図
【図６】本発明の折りたたんだ状態を表す斜視図
【発明を実施するための形態】
【０００７】  樹脂板材等を用いて、幅広Ｕ字型に形成された譜面立てにおいて、正面に相対して向かい合った状態を仮定した場合、底面の手前縁からほぼ垂直に起立する壁面を譜面押さえ部（１）と成し、底面の奥縁からほぼ垂直に起立する壁面を譜面支え背面部（２）と成し、底面部（３）の中央において左右に二分割する線に沿って分離しつつ、蝶番（４）留めで結合される。底面外側の左右両端縁辺に、それぞれ数カ所に数ミリの高さで小突起部（５）を設けるが、小突起部（５）の位置は折りたたまれて底面が向かい合わせに重なった際に、左右の小突起同士がピタッと符号的に重ならないように設置する。
なお、譜面押さえ部（１）と譜面支え背面部（２）は、底面部（３）との境界線において、それぞれ対面する相手方向へ（譜面押さえ部（１）は譜面支え背面部（２）の側へ、譜面支え背面部（２）は譜面押さえ部（１）の側へ）のみ折りたたみ可能であり、反対方向、即ち外側への折りたたみは不可能な形で形成することもできる。（図６参照）
本発明は、以上のような構造である。
本発明を使用するときは、ピアノ等の鍵盤楽器の譜面台に本発明を設置する。このとき譜面押さえ部（１）が手前にくるように置く。そして譜面を開いた状態でＵ字開口部（６）に立て置く。譜面は、譜面押さえ部（１）譜面支え背面部（２）底面部（３）の三つの面で支えられているので、開いた状態を維持できる。この時、底面外側左右両端に設けられた小突起部（５）の高さによって接地面との間にできた空間が、底面中央にある蝶番（４）の出っ張りより高いので底面がぐらついたりせず、また蝶番（４）の出っ張りが譜面台やピアノ等を傷つける心配もない。
譜面のページをめくるときは、Ｕ字開口部（６）から譜面が完全に出るまで持ち上げれば、容易にページをめくることができる。
また、自宅外に携帯する時は、真ん中から二つ折りにたたんで、ポーチ等に入れバッグに収納すれば、さほどかさばることもなく、軽量でもあるので便利である。
【符号の説明】
【０００８】１譜面押さえ部、  ２譜面支え背面部、  ３底面部、
４蝶番、  ５小突起部、  ６Ｕ字開口部
【図１】
2015114656.tif 000003
【図２】
2015114656.tif 000004
【図３】
2015114656.tif 000005
【図４】
2015114656.tif 000006
【図５】
2015114656.tif 000007
【図６】
2015114656.tif 000008
(57)【要約】      （修正有）【課題】補助灯器のＬＥＤ光源の発熱を用いてレンズを加熱し、その熱により着雪を防ぐ信号機の提供。【解決手段】本体灯器灯の点滅に同期した1つの独立した補助灯器を構成する。信号機における赤、青、黄色の3つの灯器（以降本体灯器と称する）とは別に、独立した１つの、LEDを設置したLED用基板と前記LEDからの熱を放熱するヒートシンクＨを一体化させたヒートシンクユニットをレンズに密着させた構造を備えた、補助灯器を構成し、本体灯器の点滅に同期して同じ色で発光、投光させる。【選択図】図２
2015114785.tif 000002
【特許請求の範囲】
【請求項１】
LEDを光源とする交通信号機において前記交通信号機の各灯器の点滅に合わせて同期する色を発光、投光する、独立したLEDを光源とする補助灯器が構成されている、ことを特徴とする信号機。
【請求項２】
前記請求項1の信号機の補助灯器を構成する、LED、基板及びヒートシンクは、レンズ制作時にレンズに一体化されている、ことを特徴とする信号機。
【請求項３】
前記請求項1の信号機の補助灯器は本体灯器より小さいことを特徴とする信号機。
【発明の詳細な説明】
【技術分野】
【０００１】
本発明は、LEDを使用した、歩道信号機及び交通信号機などにおいての、着雪時における信号表示方法とその構造である。
【背景技術】
【０００２】
従来の歩道信号機及び交通信号機などの信号機においては、白熱電球やハロゲンランプ等の、高熱を発生する光源を用いていたが、電力消費量の大きさからコスト削減のため電力消費量の少ないLEDを使用しているが、LEDは白熱電球やハロゲンランプ等に比べて、発熱量が低いため、歩道信号機の表示部及び交通信号機のレンズ（保護カバー）に着雪が生じる問題が生じた。
【発明の概要】
【発明が解決しようとする課題】
【０００３】
本発明は、LEDを用いた信号機のレンズ及び表示部への着雪時における信号機表示方法、及びその構造である。
【課題を解決するための手段】
【０００４】
従来のLEDを発光源とする、信号機における赤、青、黄色の3つの灯器（以降本体灯器と称する）とは別に、独立した１つの、LEDを設置したLED用基板と前記LEDからの熱を放熱するヒートシンクを一体化させたヒートシンクユニットをレンズに密着させた構造を備えた、補助灯器を構成し、本体灯器の点滅に同期して同じ色で発光、投光させる。
【発明の効果】
【０００５】
本体灯器の投光、表示が着雪により、困難な場合においても、着雪を防げる補助灯器により、信号表示、投光を可能にできる。
【図面の簡単な説明】
【０００６】
【図１】従来の信号機図(1a) 従来の信号機灯器部正面図図(2a) 本発明による補助灯器を構成した信号機
【図２】図(1b) 本発明による補助灯器正面図図(2b) 本発明による補助灯器右側面断面図
【図３】本発明による、補助灯器組み立て斜視図
【発明を実施するための形態】
【０００７】
以下、本発明の実施の形態を、図を使用して説明する。
図1における図(1a)は,赤.青、黄3つの灯器を備えた従来の信号機である。
図(2a)は、本発明による信号機であり、本体灯器と前記本体灯器より、小さい１つの独立した補助灯器を備えた信号機である。
前記補助灯器は本体灯器の点滅に同期して、同じ色で発光、投光するので常に赤、青、黄色のいずれかの色にて発光している。
図2は、本発明による補助灯器の構造を示している。図(1b)は、本発明による補助灯器正面図であり（1）は筐体であり、(H)はLEDの熱を放熱するヒートシンクと赤、青、黄色と多色を発光するLEDを設置したLED用基板からなるヒートシンクユニットである。図(2b)は、前図(1b)の右側面断面図（筐体内部の電気部品の図は省く）であり、前記ヒートシンクユニット（H）は、アルミ製ヒートシンクに電気回路がプリントされて、基板とヒートシンクが一体となっていて、その回路上にLEDが設置されている、また、前記ヒートシンクユニット（H）は、モールディングやポッティングなどにより、レンズの型にアクリルを流し硬化させるレンズ作成時に、前記型に入れられので、設置されたLED等の凹凸部分もレンズに密着、接着し、そのためLEDから発せられる熱は前記ヒートシンクユニット（H）からレンズに伝導されやすく、その熱により、レンズを加熱して着雪を防ぐことができる。
【０００８】
また、前記補助灯器は、1つの灯でありながら、各本体灯器の点滅に同期して多色に発光、投光するので、ほぼ常に何らかの色にて発光、投光するため、前記ヒートシンクユニット（H）は、LEDを点滅、点灯を繰り返す、本体灯器と違いLEDからの熱はほぼ遮断することなく常に、その熱をレンズに伝導しレンズの熱を保持させ、その熱により着雪を防ぐので、本体灯器が着雪により、表示、投光ができなくなる場合にいても補助灯器は、着雪を防ぎ信号表示、投光を維持できる。
図3は、本発明による補助灯器の組み立て斜視図である。
なお、前記補助灯器を、本体灯器より小さくするのは、補助灯器のヒートシンクユニット（H）の熱容量を小さくして、LEDに供給する小さな電力においても、ヒートシンクユニット（H）の温度を上昇させるためである。
【産業上の利用可能性】
【０００９】
本発明は、信号機の本体灯器の着雪時における信号表示方法として利用できる
【符号の説明】
【００１０】
1.   
本発明によるLEDを光源とする信号用灯器の筐体
H  ヒートシンクとLED用基板からなるヒートシンクユニット
【図１】
2015114785.tif 000003
【図２】
2015114785.tif 000004
【図３】
2015114785.tif 000005
(57)【要約】      （修正有）【課題】表面と裏面で色、柄、凹凸が異なり、両面で装着できる眼鏡フレームを提供すること。【解決手段】メガネフレーム１０は、左右一対の切れ目のないレンズ保持部１と、レンズ保持部１を連結するブリッヂ部２から構成され、フレームの外形とレンズ保持部１の開口部を、ポリプロピレン樹脂製の薄い板材を切削加工することにより形成することにより、曲げ変形及び伸び変形し得る弾性を有し、裏表なく使用出来ることを特徴とする。【選択図】図１
2015114451.tif 000002
【特許請求の範囲】
【請求項１】
切れ目のないレンズ保持部を備え、表面と裏面とで色・柄・凹凸を異ならせたメガネフレームであって
前記レンズ保持部が、レンズを外したときは平面形状で、レンズを嵌めたときはレンズのカーブに沿って曲げ変形し、且つ、レンズを脱着するときは伸び変形し得る弾性を有するリバーシブルメガネフレーム。
【請求項２】
既存のメガネに着脱自在に取り付けられる前掛けフレームとした請求項1記載のリバーシブルメガネフレーム。
【請求項３】
前記レンズ保持部の厚みが、レンズ溝の溝幅と同じである請求項1または請求項2記載のリバーシブルメガネフレーム。
【発明の詳細な説明】
【技術分野】
【０００１】
本発明は、メガネのフレームに関するものである。
【背景技術】
【０００２】
メガネのフレームには、金属製と樹脂製のものがあるが、いずれもレンズのカーブに合わせてフレームにカーブがついている。
したがって、表と裏が決まっていてリバーシブルに使用することは不可能である。
【０００３】
また、特許文献１には、テンプルとノーズパッドを反転移動させることで裏表で使おうとするメガネが提案されている。
【先行技術文献】
【特許文献】
【０００４】
【特許文献１】実用新案登録第３１２５４０８号公報
【発明の概要】
【発明が解決しようとする課題】
【０００５】
しかしながら、上記特許文献１はレンズの反転が考慮されておらずテンプルとノーズパットを反転移動しただけではメガネとしての機能を持たない。
本発明は、上記のような課題に鑑み、その課題を解決すべく創案されたものであって、その目的とするところは、レンズを反転させてもメガネとしての機能を十分に発揮するリバーシブルメガネフレームを提供することにある。
【課題を解決するための手段】
【０００６】
本発明は、柔軟性の高い素材をフレームに使用することであらゆるレンズカーブに対応でき、メガネのレンズを左右入れ替えることによって裏表で使用できるフレームを提供することで、上記課題を解決したものである。
【発明の効果】
【０００７】
メガネフレームをリバーシブルに使えるため、一枚のフレームでTPOに合わせた使い分けや気分転換のための使い分けが可能となる。
【０００８】
フレームに曲げ変形及び伸び変形し得る弾性を有する素材を使用することで度付きレンズやサングラスレンズ等のレンズカーブの違いに対応できる。
【図面の簡単な説明】
【０００９】
【図１】本実施例のリバーシブルメガネフレームを表面から見た正面図である。
【図２】本実施例のリバーシブルメガネフレームを裏面から見た背面図である。
【図３】本実施例のリバーシブルメガネフレームを上から見た図である。
【図４】弱いレンズカーブのレンズを嵌めた状態を上から見た図である。
【図５】強いレンズカーブのレンズを嵌めた状態を上から見た図である。
【図６】図1中のA―A断面図である。
【図７】本発明にかかるリバーシブルメガネフレームの変形例のレンズ保持部の断面図である。
【図８】本発明にかかるリバーシブルメガネフレームの他の変形例のレンズ保持部の断面図である。
【図９】本発明にかかるリバーシブルメガネフレームの他の変形例の正面図である。
【発明を実施するための形態】
【００１０】
以下、本発明の実施例を挙げるが、本発明は以下の実施例に限定されるものではない。
【００１１】
図１〜図３に示すように、本実施例のリバーシブルメガネフレーム１０は左右一対の切れ目のないレンズ保持部１と、これらレンズ保持部１・１を連結するブリッヂ部２から構成されている。本実施例では、ポリプロピレン樹脂製の薄い板材を切削加工することによりフレームの外形とレンズ保持部１の開口部を形成している。また、図１および図２に示すようにリバーシブルメガネフレーム１０の表面Fと裏面Rとで色・柄・凹凸を異ならせている。本実施例では、表面Fを無模様とし裏面Rをストライプ模様としている。また、リバーシブルメガネフレーム１０のレンズ保持部１・１は、レンズLを外したときは平面形状をなし、レンズを嵌めたときはレンズのカーブに沿って曲げ変形し、且つ、レンズを脱着するときは伸び変形し得る弾性を有している。
【００１２】
上記構成により、図4・図5のように、表面と裏面を反転させてレンズを嵌め込む事ができ、一枚でTPOに合わせた使い分けや気分転換のための使い分けが可能となる。さらに、図4・図5のように、レンズカーブの異なるレンズLを嵌め込むことができるので、レンズカーブの異なるレンズLを嵌め込むことができる。
【００１３】
尚、本実施例では、図６に示すようにレンズ保持部１の厚みを、レンズLの溝幅とほぼ同じにしている。例えば、レンズ溝を０．８ミリとしレンズ保持部１の厚みを０．７５ミリとしフレーム全体の厚みを０．７５ミリとしたフレームを提供できる。
また、図７に示すように、レンズ保持部１の厚みを０．７５ミリとし、レンズ溝に入り込む部分以外のフレーム部にボリュームを持たせてもよい。また、図８に示すように、ヤゲン加工したレンズLを嵌め込むためにレンズ保持部１にV溝を形成してもよい。
【００１４】
本実施例のリバーシブルメガネフレーム１０は、前掛けメガネとして構成したものであり、既存のメガネに磁石・クリップ・フック等で取り付けることができる。
また、図９に示すリバーシブルメガネフレーム２０のように、フロント部とテンプル部３を一体とした成形加工をし、鎧部４を曲げて通常のメガネとして着用することもできる。図1のフロント部を樹脂で成形し、テンプル部を金属で作成してフロント部に取り付け、通常のメガネとして着用することもできる。
【符号の説明】
【００１５】
１０・２０    リバーシブルメガネフレーム
１            レンズ保持部
２            ブリッヂ部
３            テンプル部
４            鎧部
F            表面
R            裏面
L            レンズ
【図１】
2015114451.tif 000003
【図２】
2015114451.tif 000004
【図３】
2015114451.tif 000005
【図４】
2015114451.tif 000006
【図５】
2015114451.tif 000007
【図６】
2015114451.tif 000008
【図７】
2015114451.tif 000009
【図８】
2015114451.tif 000010
【図９】
2015114451.tif 000011
(57)【要約】 【課題】一人の誘導員が一本の誘導棒を用いて作業を行っていることによる電池切れ、或いは電球のトラブル等にて誘導作業に支障が生じること、更には交通整理誘導棒では一本での作業だと誘導員の意思や信号が解りづらいこしから、左右に二本持ちしての誘導作業をしていることもあり、誘導員の不便さや安全性に問題があることへの課題を解決する。【解決手段】長手方向に上下分割されると共に、その各々の内部に電池を収納し、且つ点灯部を有する上下誘導棒体と、この上下誘導棒体の分割面を互いに着脱自在に結着して一体化したことを特徴とした交通整理用誘導棒。【選択図】図1
2015076307.tif 000002
【特許請求の範囲】
【請求項１】
長手方向に上下分割されると共に、その各々の内部に電池を収納し、且つ点灯部を有する上下誘導棒体と、この上下誘導棒体の分割面を互いに着脱自在に結着して一体化したことを特徴とした交通整理用誘導棒。
【請求項２】
前記上下誘導棒体は、分割面に互いに着脱用の面ファスナー、磁石などの面接合体を設けたことを特徴とする請求項1記載の交通整理誘導棒。
【請求項３】
前記上下誘導棒体は、分割面に互いに着脱用の凹凸嵌合部を設けた請求項1記載の交通整理誘導棒。
【発明の詳細な説明】
【技術分野】
【０００１】
本発明は道路上において、歩行者、車両等の適正な誘導に用いられる誘導棒に関する。
【背景技術】
【０００２】
一般的に交通整理に用いられる誘導棒は、一人の誘導員が一本の誘導棒を用いて作業を行っている。
所で、電池切れ、更には電球のトラブル等にて誘導作業に支障が生じることが危惧されることから、常に予備用の誘導棒を別途準備する必要があり、且つ意識することの煩わしが伴う。
特に夜間の誘導作業においては、その予備用誘導棒の保管する場所についても、常に  意識しなければならず、作業に支障を来すことともなる。
【発明の概要】
【発明が解決しようとする課題】
【０００３】
一人の誘導員が一本の誘導棒を用いて作業を行っていることによる電池切れ、或いは電球のトラブル等にて誘導作業に支障が生じること、更には交通整理誘導棒では一本での作業だと誘導員の意思や信号が解りづらいこしから、左右に二本持ちしての誘導作業をしていることもあり、誘導員の不便さや安全性に問題があることへの課題を解決する。
【課題を解決するための手段】
【０００４】
本発明は、長手方向に上下分割されると共に、その各々の内部に電池を収納し、且つ点灯部を収納した上下誘導棒体と、この上下誘導棒体の分割面を互いに着脱自在に結着して一体化したことを特徴とするものである。
又本発明は、上下誘導棒体は、分割面に互いに着脱用の面ファスナー、磁石などの面接合体を設けたことを特徴とするものである。
更に本発明は、上下誘導棒体は、分割面に互いに着脱用の凹凸嵌合部を設けた。
ことを特徴とするものである。
【発明の効果】
【０００５】
請求項１により、一人の誘導員が一本の誘導棒を用いて作業を行う場合は、他の一本を予備用として保管しておき、仮に、使用中の電池、電球のトラブル時においては急きょ使用して、不測の事態に対応できる。
請求項２により、ネジ等にて結合するものに比し、取り外しが簡単となる。
請求項３により、着脱用の凹凸嵌合部にて行うので他の部品を要しない。
【図面の簡単な説明】
【０００６】
【図１】誘導棒の斜視図
【図２】上下誘導棒体の斜視図
【図３】同上の側面図
【図４】第１の拡大断面図。
【発明を実施するための形態】
【０００７】
以下、本発明の実地の形態を図で説明する。
【０００８】
図１は、誘導棒本体Ａの斜視図であって、上下に分割された上下誘導棒体Ｂ、Ｃにて構成されている。
具体的図２に示す如く、上下誘導棒体Ｂ、Ｃは半円形に形成されており、この分、割面１、２は平面形状に形成されていると共に、可視光性材料にて形成して点灯部Ｂａ、Ｃａとしている。
更に、図２に示す如く、分割面１、２の先端側には互いに着脱自在に嵌合する凹凸嵌合部３、４を設けおり、その嵌合にて上下誘導棒体Ｂ、Ｃが一対となる。
勿論、嵌合をより一層確実なものとなる様に、手元側に、ファスナー、磁石などの面接合体５、６をそれぞれの持ち手部７，８に備えているが、先端側の凹凸嵌合部３、４の嵌合だけに委ねてもよく、特に限定するものではない。
而して、上下誘導棒体Ｂ、Ｃは、適宜分離することにより、必要に応じ一方側を誘導棒として用い、他の一方側を予備用として保管する。
而して、上下誘導棒体Ｂ、Ｃの内部には点滅用スイッチ９、１０の操作により、発光する電池１１，１２を収納しており、点灯部Ｂａ、Ｃａが点滅する。
勿論、上下誘導棒体Ｂ、Ｃの何れか一方の点滅用スイッチ９、１０のみの操作により任意の一方を点灯させてもよい。
【符号の説明】
【０００９】
Ａ      誘導棒本体
Ｂ      上誘導棒体
Ｃ      下誘導棒体
Ｂａ    点灯部
Ｃａ    点灯部
１      分割面
２      分割面
３      凹嵌合部
４      凸嵌合部
５      面接合体５
６      面接合体
７      持ち手部
８      持ち手部
９    点滅用スイッチ
１０  点滅用スイッチ
１１  電池
１２  電池
【図１】
2015076307.tif 000003
【図２】
2015076307.tif 000004
【図３】
2015076307.tif 000005
【図４】
2015076307.tif 000006
(57)【要約】【課題】従来の携帯式照明装置の代表に懐中電灯があるが、乾電池等を必要としていた。また、光源が１つで視認性が悪い事や人間の手や肩に掛けて携帯するため、両手の使用範囲に限度があった。本発明は太陽光発電を使用するため乾電池等の電源に頼らず繰り返し利用でき、透明チューブ全体が発光するため視認性も高い。形状を自由に変えられ、多目的に使用できる。また、光センサーにより点灯・消灯がされるためスイッチがいらない。【手段】空洞な透明チューブの内部に並列した複数の内部発光部を設ける。透明チューブの片方の先端には１つの光センサー内蔵太陽光発電部及びＬＥＤ光源を保護するカバーを装着し、内部発光部の全体が発光する。また、透明チューブのもう片方の先端には、透明キャップをはめ込み、内部発光部を透明チューブ内に固定する構成である。【選択図】図１
2015076394.tif 000002
【特許請求の範囲】
【請求項１】
光センサー内蔵太陽光発電部（３）による充電式の照明のため、センサーによる点灯・消灯、電源のない場所での繰り返しの使用が可能な携帯用太陽光発電式ＬＥＤチューブライト。
【請求項２】
ＬＥＤ光源部（４）一つのみを用いてそこに密着した透明チューブ（１）及び内発光部（２）全体を発光させることができる軽量な携帯用太陽光発電式ＬＥＤチューブライト。
【請求項３】
透明チューブ（１）及び内部発光部（２）が柔軟な素材でできているため、自由に曲げることが可能で、人間（７）の体や様々な物に巻きつけることができる携帯用太陽光発電式ＬＥＤチューブライト。
【請求項４】
ＬＥＤ光源部（４）の色を変えることにより、周囲からの視認性、オブジェ的要素の付加等さまざまな装飾効果が向上する携帯用太陽光発電式ＬＥＤチューブライト。
【発明の詳細な説明】
【技術分野】
【０００１】  本発明は、空洞な透明チューブ内に並列して設けている複数の内部発光部を、太陽光発電を使用して発光させ、夜間や暗所などで、チューブの柔軟で可変的な形状を利用して多目的に使用するための携帯式の照明装置に関するものである。
【発明の概要】
【発明が解決しようとする課題】
【０００２】  （イ）、従来の懐中電灯のように、乾電池等を電源としているのに対して、太陽光発電  を利用している。
（ロ）、従来の懐中電灯に光源が１つなのに対して、チューブ状の本体そのものが発光  し、視認性を上げている。
（ハ）、従来の懐中電灯が手で持つことが前提とされているのに対して、チューブ状の  柔軟な形状を利用して人体等に巻きつけ固定することができ、両手を他の作業に使うこ  とができる。
（ニ）、従来の懐中電灯や照明がスイッチによる点灯・消灯であるのに対して、本発明  は太陽光発電部の内臓光センサーによる点灯・消灯である。
本発明は、これらの問題点を解決するためになされたものである。
【課題を解決するための手段】
【０００３】  空洞な透明チューブ（１）の内部に並列して複数の内部発光部（２）を設ける。透明チューブ（１）の片方の先端には１つの光センサー内蔵太陽光発電部（３）及びＬＥＤ（Ｌｉｇｈｔ  Ｅｍｉｔｔｉｎｇ  Ｄｉｏｄｅ）光源部（４）を密着させ、内部発光部（２）の全体が発光する。太陽光発電部（３）及びＬＥＤ光源部（４）にはそれらを保護するカバー（５）を装着する。
また、透明チューブ（１）のもう片方の先端には透明キャップ（６）を固定し、内部発光部（２）を透明チューブ（１）内に隠蔽する構成である。
【発明の効果】
【０００４】  本発明は太陽光発電を使用しているため、屋外など電源が使用できない場所での使用が可能である。
夜間、暗所など、視界が明瞭でない状況下でも本発明を携帯することによって、透明チューブ全体が発光するため、視界を照らすこと、また周辺からの視認性を高めることが可能である。
また、本発明の透明チューブ及び内部発光部は柔軟性に富んでおり、チューブをまっすぐに伸ばした状態に加え、湾曲させたままでの使用が可能なため、形状を自由に変化させることができ、多目的に使用が可能である。
本発明は内臓光センサーによる点灯及び消灯としているため、スイッチは必要としていない。
【図面の簡単な説明】
【０００５】
【図１】本発明全体の斜視図
【図２】本発明の透明チューブ部分の斜視図
【図３】本発明の透明チューブ部分の断面図
【図４】本発明の光センサー内蔵太陽光発電部およびＬＥＤ光源部を包むカバー内の断面図
【図５】本発明の使用状態の一例（人間が身体に巻き付けて使用する例）を示す図
【発明を実施するための形態】
【０００６】  以下、本発明の実施するための最良の形態を説明する。
（イ）、複数の透明光ファイバー製内部発光部（２）を柔軟性のあるビニール製の空    洞透明チューブ（１）の内部に並列して設ける。
（ロ）、複数の光ファイバー製の内部発光部（２）は、太さの異なる物を使用し、透    明チューブ（１）の中を高密度となるように並べていく。
（ハ）、透明チューブ（１）は円筒型を使用することにより、光が均質で滑らかに発    光することができる。
（ニ）、透明チューブ（１）の片方の先端に光センサー内蔵太陽光発電部（３）及び    ＬＥＤ電球から成るＬＥＤ光源部（４）を密着させ、内部発光部（２）へ光を送るこ    とにより、内部発光部（２）の全体が発光する。
（ホ）、光センサー内蔵太陽光発電部（３）は薄型で、本発明の軽量化に貢献してい    る。
（ヘ）、透明キャップ（６）を透明チューブ（１）のもう片方の先端に装着し、内部    発光部（２）を透明チューブ（１）内に固定している。
（ト）、透明チューブ（１）は柔軟な素材であるビニール製のため、形状を自由に変    えられ、人体に巻きつけて痛みを伴わずに安全に使用することができ、両手を自由に    使うことができる。
（チ）、カバー（５）は樹脂製で一体成型のため、柔軟性と耐久性を併せ持ち、衝撃    にも強い。
本発明は以上の構成からなるので本発明を使用する場合は、
夜間、暗所など、照明を必要とする場所、または人間が災害などの状況下で他人から    早急に認識される必要がある場合に携帯し、光センサー内蔵太陽光発電部（３）に取    り付けたＬＥＤ光源部（４）を発光させる。また、夜間、暗所以外でも、形状を好き    なように変形させ、装飾、オブジェ等に使用することができ、ＬＥＤ発光部の色を変    えることができるため、他の様々な用途に応じた視覚効果を発揮する。
【符号の説明】
【０００７】        １  透明チューブ
２  内部発光部
３  光センサー内蔵太陽光発電部
４  ＬＥＤ光源部
５  カバー
６  透明キャップ
７  人間
【図１】
2015076394.tif 000003
【図２】
2015076394.tif 000004
【図３】
2015076394.tif 000005
【図４】
2015076394.tif 000006
【図５】
2015076394.tif 000007
(57)【要約】【課題】  通常、会員制のログイン方式ではクッキー技術が用いられ、あらかじめクッキーの有効期間が決められている。それで、ログイン状態を保持するかブラウザーを閉じるまでにするかの二者択一の方式が一般に採用されている。しかし、クッキーの有効期間をどのぐらいに設定するかはシステムの特徴やユーザーのＰＣ環境と使用状況により異なってくる。それで、クッキーの適切な保持期間の問題を解決したい。【解決手段】  ログイン状態を保持するための期間、つまり、クッキーの有効期間をあらかじめ一つに決めておくのではなく、ユーザーが指定できるようにする。システム側で幾つかの選択肢を用意しておき、ユーザーがログイン時に選択できるようにするのはその一つの方法である。こうすることにより、システム開発者はあらかじめシステムの特徴に合わせて適切な選択肢を用意でき、同時に、ユーザーは自分の利用状況に合わせた最適なログイン保持期間を選択できる。共有のＰＣを使う場合でもログインの保持期間を意識した利用ができ、セキュリティ面でも効果が期待できる。【特許請求の範囲】
【請求項１】
ログイン時に、ログイン状態を保持するか否かの二者択一ではなく、ログインの保持期間をユーザーが指定できるログイン方式。
【発明の詳細な説明】
【技術分野】
【０００１】  本発明は、会員制のログイン方式の技術に関する。
【背景技術】
【０００２】  通常、会員制のログイン方式ではクッキー技術が用いられ、あらかじめクッキーの有効期間が決められている。それで、ログイン状態を保持するかブラウザーを閉じるまでにするかの二者択一の方式が一般に採用されている。
【発明の概要】
【発明が解決しようとする課題】
【０００３】  通常、会員制のログイン方式は会員ＩＤや暗号化されたパスワードなどセッション維持に必要な情報をクッキーに保存することによって行われている。この場合、クッキーの有効期間をどのぐらいに設定するかはシステムの特徴やユーザーのＰＣ環境と使用状況により異なってくる。しかし、多くの場合、ログイン状態を保持するかブラウザーを閉じるまでにするかの二者択一が用いられている。それで、クッキーの適切な保持期間の問題を解決したい。
【課題を解決するための手段】
【０００４】  ログイン状態を保持するための期間、つまり、クッキーの有効期間をあらかじめ一つに決めておくのではなく、ユーザーが指定できるようにする。システム側で幾つかの選択肢を用意しておき、ユーザーがログイン時に選択できるようにするのはその一つの方法である。
【発明の効果】
【０００５】  本発明は次のような効果を奏する。
ログインを保持する最適な期間は、システムやユーザーにより異なっているので、そうしたニーズに対応することができる。システム開発者はあらかじめシステムの特徴に合わせて適切な選択肢を用意できる。同時に、ユーザーは自分の利用状況に合わせた最適なログイン保持期間を選択できる。共有のＰＣを使う場合でもログインの保持期間を意識した利用ができ、セキュリティ面でも効果が期待できる。
【発明を実施するための形態】
【０００６】  ＰＥＲＬやＰＨＰ言語などでプログラミングするが、ログイン画面で「ログイン状態を保持する」を選択できるだけでなく、保持する期間の選択肢を表示し選べるようにする。
(57)【要約】      （修正有）【課題】美容業界における、モデルの募集、応募、選択プロセスを用いたオンラインマッチングサービスを提供する。【解決手段】施術者とモデルが知り合う場所を提供するのみならず、オンラインマッチングサービス内で、施術の日時、施術内容といった詳細な事項に関する決定までも行なうことを可能とする。また、モデルを多く集めるために、施術者からサービス使用料を徴収し、モデルにはギフト券やサービス券等の特典を贈呈する。【選択図】図１
2015076084.tif 000002
【特許請求の範囲】
【請求項１】
施術者が、日時、施術内容、施術条件、施術場所等の施術に関わる情報を設定した募集フォームを作成し、モデルがそれに応募する。そして施術者が応募の中から実際に施術を行なう人を選択するというシステムを実現する方法やプログラム、アルゴリズム並びに装置。
【請求項２】
モデルには、施術後にギフト券やサービス件等の特典を贈呈し、施術者から、サービス使用料を徴収するシステムを実現するプログラム並びに装置。
【発明の詳細な説明】
【技術分野】
【０００１】      本発明は、美容業界（ヘアサロン、ネイルサロン等）における、カットモデル等のオンラインマッチングサービスの技術に関する。
【背景技術】
【０００２】      従来の美容業界のオンラインマッチングサービスでは、施術者とモデルが知り合うための掲示板等の場所を提供している。その際の紹介手数料は、モデルから徴収していた。
【発明の概要】
【発明が解決しようとする課題】
【０００３】      施術者とモデルは当事者間で直接連絡を取り合い、施術の日時（日付や所要時間）、施術内容（カット、パーマ、カラー等）、施術条件（肩より髪が長くて、３ｃｍ以上カットが可能な人）といった詳細な事項に関する話し合いを行なう必要があった。そのため、個別に連絡するという時間的、精神的コストを踏まえると、多くの相手に連絡することは難しく、従来のオンラインマッチングサービスでは、理想的な相手を紹介してもらうことは難しいという課題があった。【０００４】      また、モデル側からもサービス使用料を徴収することから、施術者の需要に比べて、モデルが集まりにくいという課題があった。
【課題を解決するための手段】
【０００５】      上記の課題を解決するために、２つの対策を講じる。【０００６】      １つ目の解決策は、我々の提供するオンラインマッチングサービス内で、施術者とモデルが施術の日時、施術内容といった詳細な事項に関する決定までも行なうことを可能にすることである。【０００７】      ２つ目の解決策は、モデルには、ギフト券やサービス券等の特典を贈呈し、施術者からはサービス使用料を徴収するというものである。【０００８】      我々が開発したプロブラム、アルゴリズム並びに装置により、これら２つの解決策を実現する。
【発明の効果】
【０００９】      上述した１つ目の解決策により、従来のオンラインマッチングサービスにあった当事者間のやり取りを減らすことができ、時間的、精神的コストの削減につながる。そして、サービス内で、施術の日時、施術内容、施術条件などが公開されているので、理想的な相手を見つけることを容易にもする。【００１０】      また、２つ目の解決策により、我々のサービスを利用するモデルの数は他サービスよりも多くなることが見込まれ、施術者の需要も満たすことができると考えられる。
【図面の簡単な説明】
【００１１】
【図１】募集からマッチング成立までのフローチャート（１つ目の解決策）。
【図２】本発明を利用するユーザーと我々との関係（２つ目の解決策）。
【発明を実施するための形態】
【００１２】      以下、本発明（２つの解決策）を図１、図２に基づいて説明する。まず、１つ目の解決策について説明する。図１に本発明を利用するフローチャートを記してある。
【００１３】      まず、施術者の方に、施術の日時（希望の日時、時間帯等）、施術内容（カットを希望する、カラーを希望する等）そして、施術条件（肩より髪が長くて、３ｃｍ以上カットが可能な人を希望する等）を記した募集を作成して頂く。
【００１４】      施術者に作成していただいた募集はサービス上に公開される。
【００１５】      モデルは、我々のサービス上で公開されている募集の中から興味のあるものに応募する。
【００１６】      施術者は複数の応募者の中から実際に施術するモデルを選択する。
【００１７】      このようにしてマッチングの成立となる。
【００１８】      次に、２つ目の解決策について図２を用いて説明する。図２に示している様に、施術者からサービス使用料を頂き、モデルにはギフト券やサービス件等を贈呈する。
【実施例】
【００１９】      アシスタントからスタイリストの昇進のために、カットモデルを探している美容師（ネイルサロンの施術者なども可）は、本発明を利用することで、手間をかけずに効率的に、カットモデルを見つけることができる。【００２０】      カットモデルをやろうと考えている人は、ギフト券を貰える本発明を用いて、効率よく美容師を探すことができる。
【産業上の利用可能性】
【００２１】      本発明を用いる可能性のある業界として、美容師の他に、理容師、エステティシャン、マッサージ師、ネイリスト、セラピストなどが考えられる。このサービスを利用し多くのモデルを施術することにより、見習いスタッフから一人前のスタッフに効率的に昇進することが可能となると考えられる。
【図１】
2015076084.tif 000003
【図２】
2015076084.tif 000004
(57)【要約】【課題】本発明は、モータ外形を小さくすることを目的とする。【解決手段】ダイレクトドライブモータ１０において、コア３２、コイル３１及び磁石２２からなる部位であるモータ部１５、軸受４０及び回転センサ５０を同一軸上で、軸方向に並べて配置している。好ましくは、軸方向一方から、モータ部１５、軸受４０、回転センサ５０、そしてカバー６０の順に配置している。好ましくは、軸受４０を一つとしている。好ましくは、外転型である。【選択図】図１
2015076904.tif 000002
【特許請求の範囲】
【請求項１】
モータ部、軸受及び回転センサを同一軸上で、軸方向に並べて配置したことを特徴とするダイレクトドライブモータ。
【請求項２】
軸方向一方から、モータ部、軸受、回転センサ、そしてカバーの順に配置したことを特徴とする請求項１に記載のダイレクトドライブモータ。
【請求項３】
軸受を一つとしたことを特徴とする請求項１又は２に記載のダイレクトドライブモータ。
【請求項４】
外転型であることを特徴とする請求項１〜３に記載のダイレクトドライブモータ。
【発明の詳細な説明】
【技術分野】
【０００１】
本発明は、通常減速機を介さず、任意の位相に回転位置決めできるダイレクトドライブモータに関する。
【背景技術】
【０００２】
従来のダイレクトドライブモータとして、例えば、特許文献１のような構造のモータが挙げられる。このモータは、回転センサの誤検出防止を目的として、モータ部、軸受及び回転センサを同一平面状に配置している。
【先行技術文献】
【特許文献】
【０００３】
【特許文献１】国際公開第２００９／０６０６５８号
【発明の概要】
【発明が解決しようとする課題】
【０００４】
本発明は、モータ外形を小さくすることを目的とする。
【課題を解決するための手段】
【０００５】
（１）モータ部、軸受及び回転センサを同一軸上で、軸方向に並べて配置したことを特徴とするダイレクトドライブモータ。
（２）軸方向一方から、モータ部、軸受、回転センサ、そしてカバーの順に配置したことを特徴とする（１）に記載のダイレクトドライブモータ。
（３）軸受を一つとしたことを特徴とする（１）又は（２）に記載のダイレクトドライブモータ。
（４）外転型であることを特徴とする（１）〜（３）に記載のダイレクトドライブモータ。
【発明の効果】
【０００６】
本発明により、モータ外形を小さくすることができる。
【図面の簡単な説明】
【０００７】
【図１】本発明に係るダイレクトドライブモータの縦断面図の一例である。
【発明を実施するための形態】
【０００８】
図１は、本発明に係るダイレクトドライブモータ１０の縦断面図の一例である。ダイレクトドライブモータ１０には、回転子２０と固定子３０がある。回転子２０には、ヨーク２１と磁石２２がある。固定子３０には、コア３２があり、コイル３１が巻回されている。ここで、本実施例では、コア３２、コイル３１及び磁石２２からなる部位をモータ部１５と称する。更に、ダイレクトドライブモータ１０には、軸受４０、回転センサ５０及びカバー６０がある。
【０００９】
本実施例では、モータ部１５、軸受４０及び回転センサ５０を同一軸上で、軸方向に並べて配置している。用途によっては、周囲の構造物との関係でモータの小径化が望まれている。従来、構造体を径方向に並べており、モータの外形が大径化してしまっていた。本発明は、外形を小さくするために、軸方向に並べて配置している。
【００１０】
好ましくは、軸方向一方から、モータ部１５、軸受４０、回転センサ５０、そしてカバー６０の順に配置している。カバー６０のみ外せば回転センサ５０があり、回転センサ５０の調整が容易な構造となっている。軸方向に上記構造物を並べた場合、軸方向一方側即ち上側もしくは下側と回転センサ５０の間に他の構造物があると、回転センサ５０に触れることが困難となり、調整を実施することが困難である。特に、調整したい構造物と軸方向一方側の間に軸受４０がある場合、軸受４０は回転側と固定側との間に隙間が全くないため、調整は不可能となってしまう。そこで、調整したい構造物である回転センサ５０を軸方向一方側からカバー６０のみを介した位置に配置することにより、軸方向に構造物を並べモータ外形を小さくした上で、回転センサ５０の調整を容易にすることが可能である。外部から何らかの回転センサ５０への接触により、回転センサ５０が狂うのを防ぐため、外部と回転センサ５０との間にはカバー６０を設ける必要がある。
【００１１】
また、好ましくは、上記ダイレクトドライブモータ１０において、軸受４０を一つとしている。軸受４０を一つにすることにより、構成部材を減らし、構造を簡略化し、組立を容易にすると共に、構造部材が少ないことにより、モータを短尺化、モータ全体を小型化することが可能となる。この場合、軸受４０は、軸方向、径方向何れの荷重も受けることができるクロスローラ軸受又は深溝玉軸受が好ましい。
【００１２】
上記実施例では、外周側が回転する外転型のダイレクトドライブモータ１０について説明したが、内周側が回転する内転型のダイレクトドライブモータにおいても本発明は適用可能である。
【符号の説明】
【００１３】
１０  ダイレクトドライブモータ
１５  モータ部
２０  回転子
２１  ヨーク
２２  磁石
３０  固定子
３１  コイル
３２  コア
４０  軸受
５０  回転センサ
６０  カバー
【図１】
2015076904.tif 000003